【事件の表示】
　特許第６０４２９５０号発明「貨幣処理装置」の特許異議申立事件について、次のとおり決定する。
【結　論】
１　特許第６０４２９５０号の特許請求の範囲を訂正請求書に添付された訂正特許請求の範囲のとおり、訂正後の請求項〔１−５〕について訂正することを認める。
２　特許第６０４２９５０号の請求項４−５に係る特許を維持する。
３　特許第６０４２９５０号の請求項１−３に係る特許についての申立てを
却下する。
【理　由】
第１　手続の経緯
　特許第６０４２９５０号（以下「本件特許」という。）の請求項１ないし４についての出願は、平成２３年８月９日に特許出願された特願２０１１−１７４０５２号の一部を、平成２７年７月２９日に分割して新たな特許出願としたものであって、平成２８年１１月１８日に特許権の設定登録がなされたところ（特許公報の発行日は平成２８年１２月１４日）、平成２９年６月２日に特許異議申立人　赤松　智信（以下「申立人」という。）より特許異議の申立てがなされた。
　その後、平成２９年９月６日付けで取消理由が通知され、その指定期間内である同年１０月３０日に意見書及び訂正請求書が提出された。そして、申立人に対し平成２９年１１月８日付けで特許法第１２０条の５第５項に基づく通知がなされ、その指定期間内である同年１２月８日に申立人から意見書の提出がなされたものである。
　なお、本決定において、特許法の条文を表記する際に「特許法」という表記を省略することがある。また「甲第１号証」等を単に「甲１」などという。 
第２　訂正の適否
１　訂正の内容 
　平成２９年１０月３０日提出の訂正請求書による訂正（以下「本件訂正」という。）の内容は以下のとおりである。
（１）訂正事項１
　特許請求の範囲の請求項１を削除する。
（２）訂正事項２
　特許請求の範囲の請求項２を削除する。
（３）訂正事項３
　特許請求の範囲の請求項３を削除する。
（４）訂正事項４
　特許請求の範囲の特許請求の範囲の請求項４に、
「請求項１〜３のいずれか一つに記載の貨幣処理装置において、
　前記制御部が返却処理の開始指示を受けることにより、前記一時保留部に収納した貨幣が前記出金口に払い出される貨幣処理装置。」
とあるうち、請求項１を引用するものについて、独立形式に改めるとともに、
「貨幣処理装置であって、
　投入された貨幣を１枚ずつ繰り出す繰り出し機構を備えた入金部と、
　貨幣を識別する識別部と、
　貨幣を払い出す出金口を有する出金部と、
　一時的に貨幣を収納する一時保留部と、
　前記入金部、前記識別部、前記出金部、及び前記一時保留部を連結し、貨幣を搬送する搬送部と、
　前記入金部、前記識別部、前記出金部、前記一時保留部、及び前記搬送部の動作を制御する制御部と、
を備え、
　前記搬送部は、
　搬送されてきた貨幣を時計回り方向又は反時計回り方向に搬送するループ搬送路と、
　前記ループ搬送路上を搬送されている貨幣を前記出金口に搬送する払出路と、
　前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、
を有し、
　前記識別部は、前記ループ搬送路に沿って搬送される貨幣を識別するように、前記ループ搬送路上に配設され、
　前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納され、
　前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され、
　前記制御部が返却処理の開始指示を受けることにより、前記一時保留部に収納した貨幣が、前記識別部に搬送されることなく前記出金口に払い出される貨幣処理装置。」に訂正する。
（５）訂正事項５
　特許請求の範囲の請求項４に
「請求項１〜３のいずれか一つに記載の貨幣処理装置において、
　前記制御部が返却処理の開始指示を受けることにより、前記一時保留部に収納した貨幣が前記出金口に払い出される貨幣処理装置。」とあるうち、請求項３（請求項１を引用）を引用するものについて、独立形式に改めるとともに、
「貨幣処理装置であって、
　投入された貨幣を１枚ずつ繰り出す繰り出し機構を備えた入金部と、
　貨幣を識別する識別部と、
　貨幣を払い出す出金口を有する出金部と、
　一時的に貨幣を収納する一時保留部と、
　前記入金部、前記識別部、前記出金部、及び前記一時保留部を連結し、貨幣を搬送する搬送部と、
　前記入金部、前記識別部、前記出金部、前記一時保留部、及び前記搬送部の動作を制御する制御部と、
を備え、
　前記搬送部は、
　搬送されてきた貨幣を時計回り方向又は反時計回り方向に搬送するループ搬送路と、
　前記ループ搬送路上を搬送されている貨幣を前記出金口に搬送する払出路と、
　前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、
を有し、
　前記識別部は、前記ループ搬送路に沿って搬送される貨幣を識別するように、前記ループ搬送路上に配設され、
　前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納され、
　前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され、
　前記制御部が返却処理の開始指示を受けることにより、前記一時保留部に収納した貨幣が、前記識別部に搬送されることなく前記出金口に払い出され、
　同じ向きの貨幣のみが前記一時保留部に収納される貨幣処理装置。」に訂正する。
２　訂正の目的の適否、新規事項の有無及び特許請求の範囲の拡張・変更の存否
　上記訂正事項１ないし５につき、訂正の目的の適否、新規事項の有無及び特許請求の範囲の拡張・変更の存否を検討する。
（１）訂正事項１ないし３について 
　訂正事項１ないし３は、それぞれ、特許請求の範囲の請求項１ないし３を削除するものであるから、特許請求の範囲の減縮（特許法１２０条の５第２項ただし書第１号）を目的とするものに該当する。 
　そして、訂正事項１ないし３は、願書に添付した明細書、特許請求の範囲又は図面（以下単に「本件特許明細書等」ということがある。）に記載された事項の範囲内で行われたものであり、また、実質上特許請求の範囲を拡張し、又は変更するものでもないことは明らかである。
（２）訂正事項４について
ア　訂正の目的について
　訂正事項４は、まず、訂正前の請求項４が訂正前の請求項１〜３のいずれか１つを引用する記載であったものを、請求項間の引用関係を解消し、請求項１等を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とする訂正である。
　さらに、この訂正に加え、訂正事項４は、特許請求の範囲の減縮及び明瞭でない記載の釈明を目的とするものである。
　すなわち、（ｉ）訂正前の請求項４に係る発明では、「搬送部」は、「前記入金部、前記識別部、前記出金部、及び前記一時保留部を連結し、貨幣を搬送する」ことを特定しているだけであり、その具体的構成は特定していない。
　それに対し、訂正事項４は、その「搬送部」の具体的構成として、「前記搬送部は、搬送されてきた貨幣を時計回り方向又は反時計回り方向に搬送するループ搬送路と、前記ループ搬送路上を搬送されている貨幣を前記出金口に搬送する払出路と、前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、を有し」ていることをより具体的に限定するものである。
　また、（ｉｉ）訂正前の請求項４に係る発明では、「識別部」も「貨幣を識別する」ことを特定しているだけであり、その具体的構成は特定していない。
　それに対し、訂正事項４は、その「識別部」の具体的構成として、「前記識別部は、前記ループ搬送路に沿って搬送され貨幣を識別するように、前記ループ搬送路上に配設され」ていることをより具体的に限定するものである。
　またさらに、（ｉｉｉ）訂正前の請求項４に係る発明では、「返却処理」は、「前記制御部が返却処理の開始指示を受けることにより、前記一時保留部に収納した貨幣が前記出金口に払い出される」と特定されているだけである。
　それに対し、訂正事項４は、「返却処理」の内容を、より具体的にするために、「前記制御部が返却処理の開始指示を受けることにより、前記一時保留部に収納した貨幣が、前記識別部に搬送されることなく前記出金口に払い出される」ことを限定するものである。
　これら（ｉ）ないし（ｉｉｉ）は、特許請求の範囲の減縮を目的とするものである。
　次に、訂正事項４は、（ｉｖ）「整理計数処理」の内容を、明確にするために、「前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され」ることを明らかにするものであり、これは、明瞭でない記載の釈明（特許法１２０条の５第２項ただし書第３号）を目的とするものである。
　以上により、訂正事項４は、特許法第１２０条の５第２項ただし書第１号、３号及び４号を目的とするものに該当する。
イ　新規事項の有無
　訂正事項４の（ｉ）「搬送部」の具体的構成に関連する特許明細書及び図面の記載としては、「搬送部」の具体的構成に係る説明として、図３１とともに、段落【０１８５】には「搬送部４１（・・・）は、処理部側箇体１１１内にループ搬送路４１１を備えている。ループ搬送路４１１と投入口２１１との間は、投入路４１３によって互いに接続されている。ループ搬送路４１１にはまた、分岐機構４１７の動作により、ループ搬送路４１１上を搬送されている紙幣を選択的に出金口２３１に搬送する払出路４１５が接続されている。」と記載されており、段落【０１８７】には、「また、第２の分岐機構４１１１は、ループ搬送路４１１と接続路４１１５との接続位置に設けられている。接続路４１１５は、仮想的に示す一時保留部５１と、ループ搬送路４１１とを互いに連結する。第２の分岐機構４１１１は、ループ搬送路４１１上を時計回り方向又は反時計回りに搬送されている紙幣を、接続路４１１５に送るか、又は、一時保留部５１から繰り出した紙幣を、ループ版走路４１１上を時計回り方向に搬送させるか、若しくは、反時計回り方向に搬送させるかの切り替えを行う。」と記載されている。
　そして、図３１の図示内容から、第２の分岐機構４１１１は払出路４１５に隣接していることが看取できる。
　そうすると、訂正事項４の（ｉ）「搬送部は、搬送されてきた貨幣を時計回り方向又は反時計回り方向に搬送するループ搬送路と、前記ループ搬送路上を搬送されている貨幣を前記出金口に搬送する払出路と、前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、を有」することは、本件特許明細書等の記載に基づいて導き出される事項ということができる。
　次に、（ｉｉ）「識別部」の具体的構成に係る説明として、段落【０１８４】には「識別部２５は、入出金機１Ａと同様の構成、機能を有し、紙幣の真偽や金種、正損を識別する。」と記載されており、段落【００３８】には「識別部２５は、ループ搬送路４１１上に配設されて、そのループ搬送路４１１に沿って搬送される紙幣の一枚一枚について、その真偽、金種及び正損を識別するように構成されている。」と記載されていることから、（ｉｉ）「識別部は、前記ループ搬送路に沿って搬送され貨幣を識別するように、前記ループ搬送路上に配設され」ていることは、本件特許明細書等の記載に基づいて導き出される事項といえる。
　また、（ｉｉｉ）「返却処理」の具体的構成に係る説明として、段落【０２２２】には「（返却処理）　返却処理は、一時保留部５１に収納されている紙幣を出金口２３１に払い出す処理である。従って、本処理も、一時保留部５１が入出金機１Ｃに装着されている場合に用いられる。また、本処理は、整理計数処理と組み合わせて用いることができる。」と記載され、さらに段落【０２２３】には「図３８に、本処理の動作を示す。例えば上位端末Ｔ等で所定の操作が行われることにより、返却処理が開始する。返却処理が開始すると、同図に矢印（実線）で示すように、一時保留部５１は、紙幣を処理部側搬送部４１に繰り出す。繰り出された紙幣は　識別部２５に搬送することなく、最短経路で出金口２３１に払い出される。」と記載されていることからすれば、（ｉｉｉ）「制御部が返却処理の開始指示を受けることにより、前記一時保留部に収納した貨幣が、前記識別部に搬送されることなく前記出金口に払い出される」ことは、本件特許明細書等の記載に基づいて導き出される事項ということができる。
　次に、（ｉｖ）「整理計数処理」の具体的構成に係る説明として、段落【０２１３】には「（整理計数処理）　整理計数処理は、投入口２１１に投入された紙幣を識別、計数し、識別部２５で最初に正券として識別された金種を整理計数処理の対象金種として選定し、対象金種は一時保留部５１に収納し、それ以外の紙幣は出金口２３１に払い出す処理である。」と記載されていることからすれば、（ｉｖ）「制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され」ることも、本件特許明細書等の記載に基づいて導き出される事項といえる。
　よって、訂正事項４は、本件特許明細書等に記載した事項の範囲内の訂正であり、特許法第１２０条の５第９項で準用する特許法第１２６条第５項に適合するものである。
ウ　特許請求の範囲の拡張・変更の存否
　上記アにて指摘したように、訂正事項４は、引用関係を解消するとともに、発明特定事項を上位概念から下位概念にするものであり、カテゴリーや対象、目的を変更するものではないから、実質上特許請求の範囲を拡張し、又は変更するものには該当せず、特許法第１２０条の５第９項で準用する特許法第１２６条第６項に適合するものである。
（３）訂正事項５について
ア　訂正の目的について
　訂正事項５は、訂正前の請求項４が訂正前の請求項３（訂正前の請求項１を引用）を引用する記載であったものを、請求項間の引用関係を解消し、請求項３を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とする訂正である。
　さらに、この訂正に加え、訂正事項５は、特許請求の範囲の減縮及び明瞭でない記載の釈明を目的とするものである。すなわち、訂正前の請求項３に係る発明では、前述した訂正事項４と同様に、（ｉ）「搬送部」、
（ｉｉ）「識別部」、及び（ｉｉｉ）「返却処理」の具体的構成は特定していない。それに対し、訂正事項５は、前述した訂正事項４と同様に、これら「搬送部」、「識別部」、及び「返却処理」の具体的構成を限定するものである。また、訂正事項５は、訂正事項４と同様、（ｉｖ）「整理計数処理」の内容を、明確にするものである。
　以上により、訂正事項５は、特許法第１２０条の５第２項ただし書第１号、３号及び４号を目的とするものに該当する。
イ　新規事項の有無
　訂正事項５は、前述した訂正事項４の（ｉ）ないし（ｉｖ）と同様に、本件特許明細書等の記載に基づいて導き出される構成である。
　したがって、訂正事項５は、本件特許明細書等の範囲内の訂正であり、特許法第１２０条の５第９項で準用する特許法第１２６条第５項に適合するものである。
ウ　特許請求の範囲の拡張・変更の存否
　上記アにて指摘したように、訂正事項５は、引用関係を解消するとともに、発明特定事項を上位概念から下位概念にするものであり、カテゴリーや対象、目的を変更するものではないから、実質上特許請求の範囲を拡張し、又は変更するものには該当せず、特許法第１２０条の５第９項で準用する特許法第１２６条第６項に適合するものである。
３　小括 
　したがって、本件訂正は、特許法第１２０条の５第２項ただし書第１号、第３号及び第４号に掲げる事項を目的とするものであり、かつ、同条第９項において準用する同法第１２６条第５項及び第６項の規定に適合するので、本件訂正を認める。
第３　本件訂正発明
　上記第２のとおり本件訂正は認容されるので、本件訂正後の本件特許の請求項４及び請求項５に係る発明（以下「本件訂正発明４」などということがある。また、これらをまとめて単に「本件訂正発明」ということがある。）は、特許明細書及び図面の記載からみて、次のとおりのものと認める。
「【請求項４】
　貨幣処理装置であって、
　投入された貨幣を１枚ずつ繰り出す繰り出し機構を備えた入金部と、
　貨幣を識別する識別部と、
　貨幣を払い出す出金口を有する出金部と、
　一時的に貨幣を収納する一時保留部と、
　前記入金部、前記識別部、前記出金部、及び前記一時保留部を連結し、貨幣を搬送する搬送部と、
　前記入金部、前記識別部、前記出金部、前記一時保留部、及び前記搬送部の動作を制御する制御部と、
を備え、
　前記搬送部は、
　搬送されてきた貨幣を時計回り方向又は反時計回り方向に搬送するループ搬送路と、
　前記ループ搬送路上を搬送されている貨幣を前記出金口に搬送する払出路と、
　前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、
を有し、
　前記識別部は、前記ループ搬送路に沿って搬送される貨幣を識別するように、前記ループ搬送路上に配設され、
　前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納され、
　前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され、
　前記制御部が返却処理の開始指示を受けることにより、前記一時保留部に収納した貨幣が、前記識別部に搬送されることなく前記出金口に払い出される貨幣処理装置。
【請求項５】
　貨幣処理装置であって、
　投入された貨幣を１枚ずつ繰り出す繰り出し機構を備えた入金部と、
　貨幣を識別する識別部と、
　貨幣を払い出す出金口を有する出金部と、
　一時的に貨幣を収納する一時保留部と、
　前記入金部、前記識別部、前記出金部、及び前記一時保留部を連結し、貨幣を搬送する搬送部と、
　前記入金部、前記識別部、前記出金部、前記一時保留部、及び前記搬送部の動作を制御する制御部と、
を備え、
　前記搬送部は、
　搬送されてきた貨幣を時計回り方向又は反時計回り方向に搬送するループ搬送路と、
　前記ループ搬送路上を搬送されている貨幣を前記出金口に搬送する払出路と、
　前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、
を有し、
　前記識別部は、前記ループ搬送路に沿って搬送される貨幣を識別するように、前記ループ搬送路上に配設され、
　前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納され、
　前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され、
　前記制御部が返却処理の開始指示を受けることにより、前記一時保留部に収納した貨幣が、前記識別部に搬送されることなく前記出金口に払い出され、
　同じ向きの貨幣のみが前記一時保留部に収納される貨幣処理装置。」
第４　取消理由の概要
　本件訂正前の請求項１ないし４に係る特許（以下「本件発明１」などということがある。）に対して平成２９年９月６日付けで特許権者に通知した取消理由の要旨は、次のとおりである。
１　取消理由１及び取消理由２（新規性・進歩性違反）
ア　本件発明１及び４は、引用文献１（申立人の甲１）に記載された発明であるから、本件発明１及び本件発明４に係る特許は、特許法第２９条第１項第３号の規定に違反してされたものである（取消理由１）。  
イ　本件発明１ないし４は、引用文献１記載の発明に引用文献２（申立人の甲２）記載の技術事項（及び従来周知の技術事項）を適用することによって、当業者が容易に想到し得たものであるから、本件発明１ないし４に係る特許は、特許法第２９条第２項の規定に違反してされたものである（取消理由２）。  
　引用文献１：特開２０１０−１７６４３０号公報（申立人の甲１）
　引用文献２：特開２００９−１２９３８５号公報（申立人の甲２）
２　取消理由３（明確性要件違反）
　本件発明１ないし４は、特許請求の範囲の記載が不備のため、本件発明１ないし４に係る特許は、特許法第３６条第６項第２号の規定に違反してされたものである。
３　取消理由４（サポート要件違反）
　本件発明２及び４は、特許請求の範囲の記載が不備のため、本件発明２及び４に係る特許は、特許法第３６条第６項第１号の規定に違反してされたものである。
第５　取消理由１及び２（新規性・進歩性違反）についての判断
１　刊行物の記載
　当審の取消理由に引用した、本件特許に係る出願前に頒布された刊行物である引用文献１及び２には、以下の発明又は事項が記載されていると認められる。なお、下線は当審で付したものである。
（１）引用文献１
ア　引用文献１に記載された事項
　引用文献１には、「紙幣処理機」に関し、図面とともに以下の事項が記載されている。
（ア）特許請求の範囲
「【請求項１】
　紙幣が投入される紙幣投入部と、該紙幣投入部から１枚ずつ搬送される紙幣を鑑別、計数する鑑別部と、鑑別した紙幣を一時保管する一時保管部と、紙幣を収納する複数の紙幣収納庫と、紙幣入金時にはリジェクト口として機能する出金口とを有する紙幣処理機であって、
　整理計数処理を実行するとき、前記複数の紙幣収納庫の少なくとも１つを空にして空き収納庫としておき、前記紙幣投入部に投入された複数の金種が混在する紙幣を１枚ずつ前記鑑別部に搬送し、前記鑑別部による鑑別結果から
最初に特定した金種の紙幣
　投入された全ての紙幣を搬送してから、前記一時保管部と前記空き収納庫の一方に集積した紙幣を前記出金口に搬送し、前記一時保管部と前記空き収納庫の他方に集積した紙幣を前記出金口に搬送することを特徴とする
紙幣処理機
（イ）「【０００１】
　本発明は、金融機関の窓口に設置される紙幣処理機に関し、特に多種類の紙幣を金種ごとに整理するための手段に関する。
【背景技術】
【０００２】
　一般的な窓口に設置される紙幣処理機は、窓口係員が操作する窓口端末と接続して銀行窓口にて入金取引が行われる際には窓口係員が顧客から預かった紙幣が投入され、その紙幣の入金処理を行っている。また複数の金種が混在した紙幣を投入させることで、投入された紙幣を金種ごとに整理して出金する整理計数処理を行う機能も有している。
・・・」
（ウ）「【００１１】
　
１３は紙幣投入部
投入された紙幣
１枚ずつ
繰出す機能
　
１４は搬送路
紙幣処理機１０
搬送する
複数のブレード
搬送方向の切替えを行って
【００１２】
　
１５は鑑別部
紙幣
を鑑別する
　また、鑑別部１５は光学センサによって取得した紙幣の外形をもとに金種を鑑別する機能を有する。
【００１３】
　
１６は一時保管部
紙幣を一時保管する
　
１７は出金部
払出す紙幣
出金口を有して
【００１４】
　１８は紙幣収納部であり、予め定められた金種、例えば出金取引で用いられる千円札や１万円札の紙幣を一定枚数収納する紙幣収納庫と、上記の金種以外の金種（２千円札や５千円札）の紙幣を収納する紙幣収納庫、上記の紙幣収納庫に入りきらなかった紙幣や整理計数処理において整理計数する紙幣等を収納する予備収納庫１８ａ（空き収納部）等の複数の紙幣収納庫を有している。
【００１５】
　１９はリジェクト収納部であり、窓口での出金取引を行う際に紙幣収納部１８から繰出されて、鑑別部１５で鑑別された紙幣の内、リジェクト紙幣と鑑別された紙幣を収納するための収納部である。
・・・」
（エ）「【００１８】
　窓口係員は、表示された投入誘導画面に従って複数金種が混在した紙幣を紙幣投入口に投入する。
　Ｓ３、紙幣処理機１０の
処理機制御部１１
整理計数処理実行電文を受信
紙幣投入部１３によって投入された紙幣
搬送路１４に繰出し
搬送路１４により鑑別部１５に搬送
【００１９】
　Ｓ４、処理機制御部１１は、搬送された１枚目の紙幣を
鑑別部１５によって鑑別し、その結果から
正券
金種
一時保管部１６に搬送
集積
　なお、ここでは鑑別された金種は千円札であるものとし、処理機制御部１１は千円札を第１の特定金種として処理機記憶部１２に記憶すると共に、第１の特定金種である千円札と鑑別した紙幣の計数を開始すると共に、計数した紙幣枚数を処理機記憶部１２に記憶していく。
【００２０】
　Ｓ５、処理機制御部１１は、紙幣投入部１３によって２枚目の紙幣を分離して繰出し、搬送路１４により鑑別部１５に搬送する。
　Ｓ６、処理機制御部１１は、鑑別部１５によって
２枚目の紙幣を鑑別し
鑑別結果から正券であり、かつ１枚目の紙幣と異なる金種であることを確認し
紙幣を予備収納庫１８ａに搬送して集積
【００２１】
　なお、ここでは鑑別された金種は１万円札であるものとし、処理機制御部１１は１万円札を第２の特定金種として処理機記憶部１２に記憶すると共に、第２の特定金種である１万円札と鑑別した紙幣の計数を開始すると共に、計数した紙幣枚数を処理機記憶部１２に記憶していく。
  Ｓ７、処理機制御部１１は、紙幣投入部１３によって残りの紙幣を１枚ずつ分離して繰出し、搬送路１４により順次鑑別部１５へと搬送する。
【００２２】
　Ｓ８、処理機制御部１１は、鑑別部１５により紙幣を鑑別し、その鑑別結果から紙幣が千円札であると判断した場合はステップＳ９に進み、それ以外の場合はステップＳ１０に移行する。
　Ｓ９、処理機制御部１１は、紙幣が千円札であることを確認するとその紙幣を一時保管部１６に搬送して集積してステップＳ１３に移行する。このとき処理機制御部１１は計数している一時保管部１６に搬送した紙幣枚数に１を加算する。
【００２３】
　Ｓ１０、処理機制御部１１は、上記ステップＳ８の鑑別結果から千円札以外の紙幣であって、その紙幣が１万円札と判断した場合はステップＳ１１に進み、１万円札以外の紙幣あるいはリジェクト紙幣であると判断した場合はステップＳ１２に移行する。
　Ｓ１１、処理機制御部１１は、紙幣が１万円札であることを確認するとその紙幣を予備収納庫１８ａに搬送して集積してステップＳ１３に移行する。このとき処理機制御部１１は計数している予備収納庫１８ａに搬送した紙幣枚数に１を加算する。
【００２４】
　Ｓ１２、処理機制御部１１は、
紙幣が千円札でなく、かつ１万円札ではない金種あるいはリジェクト紙幣であることを確認すると
出金部１７に搬送して
  なお、処理機制御部１１は紙幣返却電文を窓口端末１に送信することで、窓口端末１の窓口制御部４は、紙幣処理機１０の
出金口から返却
（オ）「【００２６】
　Ｓ１４、処理機制御部１１は、記憶している千円札の枚数と１万円札の枚数を読み出して窓口端末１に送信し、出金口センサ１７ａによって出金部１７に残留している紙幣が無いことを確認して
一時保管部１６に集積
紙幣
　窓口端末１の窓口制御部４は、受信した千円札の枚数と１万円の枚数とを窓口表示部２に表示すると共に、紙幣処理機１０の出金部１７の
出金口
抜き取られた
（カ）「【００２８】
・・・一時保管部もしくは予備収納庫から出金部へと紙幣を搬送する前に、窓口端末の窓口表示部に紙幣の出金開始の有無を問う文言と出金を開始する開始指示キーを配した画面を表示させるようにし、
窓口係員が窓口操作部により開始指示キーの入力がなされたときに
出金部へ搬送
イ　引用文献１発明
（キ）上記記載事項（ウ）に「【００１１】・・・ １４は搬送路であり、紙幣投入部１３によって繰出された現金を紙幣処理機１０の各部へと搬送する。」とあるところ、この記載を図２に記載された搬送路１４の配置に照らせば、該「搬送路１４」は、“紙幣投入部１３、鑑別部１５、出金部１７、及び一時保管部１６を連結し、紙幣を搬送する”ものということができる。
（ク）上記記載事項（エ）における「処理機制御部１１」による各ステップ（Ｓ）における制御機能から、該「処理機制御部１１」は、“紙幣投入部１３、鑑別部１５、出金部１７、一時保管部１６、搬送路１４の動作を制御する”ものと認められる。
（ケ）図２によれば、「搬送路１４」は、部分的にループ状の部分を中央付近に有することが看取でき、“搬送路１４は、搬送されてきた紙幣を搬送する部分的なループ搬送路”を有するものと認められる。さらに、「鑑別部１５」が“部分的なループ搬送路”上に配設されていることも看取できる。
（コ）上記記載事項（ウ）に「【００１３】・・・１７は出金部であり、出金取引で顧客に払出す紙幣を蓄積する出金口を有しており」とあり、また、上記記載事項（エ）に「【００２４】・・・あるいはリジェクト紙幣であることを確認するとその紙幣を出金部１７に搬送し」とあるところ、これを図２に示された出金部１７付近の搬送路１４の図示内容と照らし併せれば、「搬送路１４」は“搬送路１４上を搬送されている紙幣を出金口に搬送する払出路”を有しているものと認められる。
　そこで、上記記載事項（ア）ないし（カ）及び認定事項（キ）ないし（コ）を、図面を参照しつつ技術常識を踏まえて本件訂正発明４に照らして整理すると、引用文献１には以下の発明が記載されていると認める（以下「引用文献１発明」という。）。
＜引用文献１発明＞  
「紙幣処理機１０であって、 
　投入された紙幣を１枚ずつ繰り出す繰り出し機構を備えた紙幣投入部１３と、 
　紙幣を鑑別する鑑別部１５と、 
　紙幣を払い出す出金口を有する出金部１７と、 
　紙幣を一時保管する一時保管部１６と、 
　前記紙幣投入部１３、前記鑑別部１５、前記出金部１７、及び前記一時保管部１６を連結し、紙幣を搬送する搬送路１４と、 
　前記紙幣投入部１３、前記鑑別部１５、前記出金部１７、前記一時保管部１６、及び前記搬送路１４の動作を制御する処理機制御部１１と、 
　を備え、
　前記搬送路１４は、
　搬送されてきた紙幣を搬送する部分的なループ搬送路と、
　前記搬送路１４上を搬送されている紙幣を出金口に搬送する払出路と、
　搬送方向の切替えを行う複数のブレードと、
を有し、
　前記鑑別部１５は、搬送される貨幣を識別するように、前記部分的なループ搬送路上に配設され、
　前記処理機制御部１１が整理計数処理実行電文を受信することにより、投入された紙幣が、前記紙幣投入部１３から繰り出されて前記搬送路１４によって前記鑑別部１５に搬送され、当該鑑別部１５の鑑別結果に基づいて、前記出金口から返却されるか、前記一時保管部１６又は予備収納庫１８ａに集積され、
　前記処理機制御部１１が整理計数処理実行電文を受信することにより、投入された紙幣の計数が前記鑑別部１５において行われ、投入された紙幣のうち、前記鑑別部１５で最初に正常紙幣として識別した金種の正常紙幣は前記一時保管部１６に集積され、２枚目の紙幣を鑑別しその鑑別結果から正常紙幣であり、かつ１枚目の紙幣と異なる金種であることを確認した場合は、その紙幣を予備収納庫１８ａに集積し、それ以外の紙幣は前記出金口に払い出され、
　窓口係員が窓口操作部により開始指示キーの入力がなされたときに、前記一時保管部１６に集積している紙幣が前記出金口に払い出される紙幣処理機１０。」
（２）引用文献２　  
　引用文献２には、「紙葉類取扱装置」に関して、図面とともに以下の事項が記載されている。
（ア）「【００１４】
  図２は、紙葉類搬送装置２の概略図を示す。
【００１５】
　一時保留部２１は、計数した紙幣を一時的に集積する一時保管庫である。識別部２２は、紙幣の金種、真偽、向き、損傷の程度を判別する。収納部２３ａ〜２３ｄは、紙幣を種類別に集積する収納庫である。回収部２４は、識別部２２によってリジェクトされた紙幣を収納する収納庫である。上部搬送路２５は、入金口５、識別部２２、一時保留部２１、出金口６、返却口７をループして紙幣を搬送する搬送路である。下部搬送路２６は上部搬送路２５から収納部２３ａ〜２３ｄおよび回収部２４の上を経由して再び上部搬送路２５へと紙幣を搬送する搬送路である。
【００１６】
　入金口搬送路２７は、入金口５から上部搬送路２５へと紙幣を搬送する搬送路である。
出金口搬送路２８は、上部搬送路２５から出金口６へと紙幣を搬送する搬送路である
【００１７】
　通過センサ３５は、紙幣が通過するのを検知するセンサである。
ゲート３６は、紙幣を搬送する方向を切り替える
（イ）「【００６６】 
　搬送処理主制御部１１０は、出金口６に収集の対象となっている紙幣を指定された枚数だけ収集したか否かを判定し（ステップＳ１０６）、指定された枚数に達している場合は、搬送モータ制御部１１４に対し、各搬送路２５〜３５を停止させるよう指示する（ステップＳ１０７）。指定された枚数に達していない場合は、上記の処理を繰り返す。」  
  
（ウ） 
 「【００８０】 
　本実施例では、向きを自動判別するように設定されているので、当該紙幣の判別結果が、１枚目の紙幣であれば、搬送処理主制御部１１０は、当該紙幣の向きを出金口６に収集する向きとして、記憶部１２１に記憶する（ステップＳ２０６）。」 
  
 （エ）「【００８３】 
　１枚目の紙幣の場合は、出金口６に収集する紙幣となるので、搬送処理主制御部１１０は、出金口６に紙幣を搬送する方向にゲートを切り替えるようゲート制御部１１３に指示する。２枚目以降の紙幣の場合は、搬送処理主制御部１１０は、当該紙幣の向きが記憶部１２１に記憶している収集向きと同じか否かを判定し、収集向きと異なる場合は、指定外搬送先指定部２２９で指定された場所に紙幣を搬送する方向にゲートを切り替えるようゲート制御部１１３に指示する（ステップＳ２１８）。本実施例では、「一時保留部」としているので、一時保留部２１の方向にゲートを切り替える。」
２　本件訂正発明４
（１）対比
　本件訂正発明４と引用文献１発明とを対比すると以下のとおりである。  
　引用文献１発明の「紙幣処理機１０」が本件訂正発明４の「貨幣処理装置」に相当することは、その機能に照らして明らかであり、以下同様にそれぞれの機能及び技術常識を踏まえれば、「紙幣」は「貨幣」に、「紙幣投入部１３」は「入金部」に、「鑑別する」は「識別する」に、「鑑別部１５」は「識別部」に、「出金部１７」は「出金部」に、「紙幣を一時保管する」は「一時的に貨幣を収納する」に、「一時保管部１６」は「一時保留部」に、「搬送路１４」は「搬送部」に、「処理機制御部１１」は「制御部」に、「搬送方向の切替えを行う複数のブレード」は「搬送方向を切り替える分岐機構」に、「整理計数処理実行電文を受信すること」は「所定の処理の開始指示を受けること」又は「整理計数処理の開始指示を受けること」に、「鑑別結果」は「識別結果」に、「返却される」は「払い出される」に、「集積」「され」は「収納」「され」に、「正常紙幣」は「正常貨幣」に相当することも明らかである。 
　また、引用文献１発明の「窓口係員が窓口操作部により開始指示キーの入力がなされたとき」は、本件訂正発明４の「制御部が返却処理の開始指示を受けることにより」に相当するといえる。
　次に、引用文献１発明の「部分的なループ搬送路」と本件訂正発明４の「ループ搬送路」とは、“少なくとも部分的にはループ状である搬送路”である限りにおいて共通する。 
　また、引用文献１発明の「搬送路１４上を搬送されている紙幣を出金口に搬送する払出路」と本件訂正発明４の「ループ搬送路上を搬送されている貨幣を前記出金口に搬送する払出路」とは、“搬送路上を搬送されている貨幣を前記出金口に搬送する払出路”である限りにおいて共通する。
　また、引用文献１発明の「一時保留部又は予備収納庫１８ａに集積され」ることと本件訂正発明４の「一時保留部に収納され」ることとは、“一時保留部等に収納され”ることである限りにおいて共通する。
　また、引用文献１発明の「処理機制御部１１が整理計数処理実行電文を受信することにより、投入された紙幣の計数が前記鑑別部１５において行われ、投入された紙幣のうち、前記鑑別部１５で最初に正常紙幣として識別した金種の正常紙幣は前記一時保管部１６に集積され、２枚目の紙幣を鑑別しその鑑別結果から正常紙幣であり、かつ１枚目の紙幣と異なる金種であることを確認した場合は、その紙幣を予備収納庫１８ａに集積し、それ以外の紙幣は前記出金口に払い出され」ることは、上記対応関係を踏まえ、
「制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、２枚目の貨幣を鑑別しその識別結果から正常貨幣であり、かつ１枚目の貨幣と異なる金種であることを確認した場合は、その貨幣を予備収納庫１８ａに収納し、それ以外の貨幣は前記出金口に払い出され」ることと言い改められるところ、これは本件訂正発明４の、
「制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され」ることと、
“制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出されるか又は他の収納庫に収納され”ることである限りにおいて共通する。
　したがって、本件訂正発明４と引用文献１発明とは、以下の点で一致しているということができる。  
 ＜一致点＞  
「貨幣処理装置であって、 
　投入された貨幣を１枚ずつ繰り出す繰り出し機構を備えた入金部と、 
　貨幣を識別する識別部と、 
　貨幣を払い出す出金口を有する出金部と、 
　一時的に貨幣を収納する一時保留部と、 
　前記入金部、前記識別部、前記出金部、及び前記一時保留部を連結し、貨幣を搬送する搬送部と、 
　前記入金部、前記識別部、前記出金部、前記一時保留部、及び前記搬送部の動作を制御する制御部と、 
　を備え、
　前記搬送部は、
　搬送されてきた貨幣を搬送する少なくとも部分的にはループ状である搬送路と、
　前記搬送路上を搬送されている貨幣を前記出金口に搬送する払出路と、
　搬送方向を切り替える分岐機構と、
を有し、
　前記識別部は、搬送される貨幣を識別するように、前記少なくとも部分的にはループ状である搬送路上に配設され、
　前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部等に収納され、
　前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出されるか又は他の収納庫に収納され、
　前記制御部が返却処理の開始指示を受けることにより、前記一時保留部に収納した貨幣が前記出金口に払い出される貨幣処理装置。」  
  
　そして、本件訂正発明４と引用文献１発明とは、以下の６点で相違する。  
＜相違点１＞  
　“少なくとも部分的にはループ状である搬送路”に関し、本件訂正発明４は、ループ搬送路であるのに対し、引用文献１発明は、部分的なループ搬送路である点。
＜相違点２＞ 
　“搬送路上を搬送されている貨幣を出金口に搬送する払出路”に関し、本件訂正発明４は、ループ搬送路上を搬送されている貨幣を出金口に搬送する払出路であるのに対し、引用文献１発明は、搬送路１４上（のループ状とは限らない部分）を搬送されている紙幣を出金口に搬送する払出路である点。
＜相違点３＞
　本件訂正発明４の「搬送方向を切り替える分岐機構」は、払出路に隣接した、一時保留部が連結される接続路とループ搬送路との接続位置に設けられ、一時保留部から繰り出される貨幣のループ搬送路上での搬送方向を切り替える分岐機構であるのに対し、引用文献１発明の搬送方向を切り替える分岐機構はそのようなものではない点。
＜相違点４＞
　“一時保留部等に収納され”ることに関し、本件訂正発明４は、一時保留部に収納されるのに対し、引用文献１発明は、一時保留部又は予備収納庫１８ａに収納される点。
＜相違点５＞
　“制御部が整理計数処理の開始指示を受けることにより、投入された貨幣の計数が識別部において行われ、投入された貨幣のうち、識別部で最初に正常貨幣として識別した金種の正常貨幣は一時保留部に収納され、それ以外の貨幣は出金口に払い出されるか又は他の収納庫に収納され”ることに関し、本件訂正発明４は、投入された貨幣のうち、識別部で最初に正常貨幣として識別した金種の正常貨幣以外の貨幣は出金口に払い出されるのに対し、引用文献１発明は、投入された貨幣のうち、識別部で最初に正常紙幣として識別した金種の正常貨幣以外のうち、２番目に正常紙幣の金種であることを確認した貨幣は予備収納庫１８ａに集積し、それ以外の紙幣は出金口に払い出される点。
＜相違点６＞
　返却処理に関し、本件訂正発明４においては、一時保留部に収納した貨幣は、識別部に搬送されることなく出金口に払い出されるのに対し、引用文献１発明においては、返却処理時に識別部を経由するか否か明らかでない点。
（２）相違点についての判断  
ア　相違点３について  
　事案に鑑み、最初に相違点３について検討する。
（ア）同一性（第２９条第１項第３号）
　まず、相違点３の実質性につき検討する。引用文献１発明（又は引用文献１に記載された発明）における「搬送方向を切り替える分岐機構」は、引用文献１の図２を参酌するに、数ヶ所設けられていることが認められるものの、出金部１７に続く払出路に隣接した位置には設けられておらず、また、一時保留部１６から繰り出される貨幣のループ搬送路上での搬送方向を切り替えるものではないことも明らかである。
　よって、相違点３が実質的な相違点であることは明らかであり、本件訂正発明４は、引用文献１に記載された発明であるということはできず、取消理由１の同一性（第２９条第１項第３号）は否定される。 
（イ）容易想到性（第２９条第２項）
　次に、取消理由２の容易想到性（第２９条第２項）につき検討する。引用文献１発明におけるループ搬送路は「部分的」なものであるから、「一時保留部（１６）から繰り出される貨幣のループ搬送路上での搬送方向を切り替える分岐機構」を「払出路に隣接し」て設けるには、引用文献１の図２を参酌するに、まず、ループ搬送路を（本件訂正発明４のように）いわば全体的にする必要があり、その上で払出路に隣接することを想到しなければならない。しかしながら、引用文献１発明からそのような大幅な搬送路の変更をする動機付けは到底認められない。したがって、本件訂正発明４の引用文献１発明（のみ）からの容易想到性は否定される。
　次に、上記１（２）にて指摘した引用文献２には、図２とそれに関する説明を参酌するに、「出金搬送路２８」と紙幣を搬送する方向を切り替える「ゲート３６」が開示されているところ、図２に示された位置関係からすれば、「ゲート３６」は「「出金搬送路２８」に隣接しているとは認められない。よって、引用文献１発明に引用文献２に記載された事項を適用し得たとしても、相違点３に係る本件訂正発明４の構成には想到しない。
　よって、相違点３に係る本件訂正発明４の構成を想到容易とすることはできない。
  
イ　小括
　したがって、相違点３に係る本件訂正発明４の構成は、実質的なものであり、また、引用文献１発明（及び引用文献２記載の事項）から当業者が容易に想到し得たものとはいえないから、相違点１ないし２及び相違点４ないし６について検討するまでもなく、本件訂正発明４に係る特許は、取消理由１及び２によって取り消すことはできない。
ウ　申立人の意見について
　申立人は、平成２９年１２月８日付け意見書にて、本件訂正発明４の「一時保留部に収納した貨幣は、識別部に搬送されることなく出金口に払い出される」構成（上記相違点６）は、引用文献１に実質的に開示されている旨主張する。
　引用文献１記載の搬送路１４の搬送方向等の詳細は明らかでないから、申立人の該主張は首肯し難いが、いずれにせよ、相違点６に係る本件訂正発明４の「一時保留部に収納した貨幣は、識別部に搬送されることなく出金口に払い出される」構成の同一性及び容易想到性の如何に関わらず、相違点３に係る本件訂正発明４の構成の新規性・進歩性が認められる以上、当審の判断の結論を左右するものではない。
３　本件訂正発明５ 
　本件訂正発明５は、実質的に、本件訂正発明４の発明特定事項を全て含み、さらに「同じ向きの貨幣のみが前記一時保留部に収納される」という限定を附すものである。そして、本件訂正発明４に係る特許を取消理由１及び２（新規性及び進歩性違反）により取り消すことはできないことは、上記２にて説示したとおりである。したがって、本件訂正発明５に係る特許も、取消理由１及び２によって取り消すことはできない。
４　取消理由１及び２に関する判断のまとめ
　したがって、本件訂正発明４及び５に係る特許は、取消理由１及び２によって取り消すことはできない。
第６　取消理由３（明確性要件違反）についての判断
１　取消理由３の内容
　当審の取消理由通知にて示した取消理由３は、より詳しくは以下のとおりである。
（１）本件発明１に、「整理計数処理」という用語が用いられているが、「整理計数処理」は一般的な技術用語ではなく、また明細書を参酌してもその技術的意味が不明である。よって、本件発明１及び従属する本件発明３ないし４に係る発明は明確ではない（以下「取消理由３−１」という。）。
（２）本件発明２に、「枚数計数処理」という用語が用いられているが、「枚数計数処理」は一般的な技術用語ではなく、また明細書を参酌してもその技術的意味が不明である。よって、本件請求項２に係る発明は明確ではない（以下「取消理由３−２」という。）。
２　取消理由３−１について
　本件訂正により、本件訂正発明４に、「前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され」との特定事項が加えられたことにより、「整理計数処理」という用語が明確に定義され、取消理由３−１は解消した。
３　取消理由３−２について
　本件訂正により対象となる請求項２が削除された（上記訂正事項２）ため、取消理由３−２は解消した。
４　取消理由３に関する判断のまとめ
　本件訂正により、取消理由３は全て解消した。
第７　取消理由４（サポート要件違反）についての判断
　当審の取消理由通知にて示した取消理由４は、申立人の異議申立書記載の理由により、本件発明２及び従属する本件発明４は、特許法第３６条第６項第１号にて規定されたサポート要件を満たしていないというものである。
　本件訂正により対象となる請求項２が削除された（上記訂正事項２）ため、取消理由４は解消したことは明らかである。
第８　取消理由通知において採用しなかった特許異議申立理由について 
　申立人の異議申立書の「III　申立ての理由」「第１　申立ての理由の要約」欄における、「１　特許法第３６条第６項第２号」、「３　特許法第３６条第６項第２号」及び「５　特許法第３６条第６項第２号」についても、いずれも本件訂正により解消したことは明らかである。
第９　むすび  
　以上のとおりであるから、取消理由通知に記載した取消理由１ないし４及び特許異議申立書に記載した特許異議申立理由によっては、本件請求項４及び５に係る特許を取り消すことはできない。 
　また、他に本件請求項４及び５に係る特許を取り消すべき理由を発見しない。 
　なお、請求項１ないし３に係る特許は、本件訂正により削除されたため、本件特許の請求項１ないし３に対して、申立人がした特許異議の申立てについては、対象となる請求項が存在しない。 
　よって、結論のとおり決定する。
【異議決定日】
平成３０年１月１０日（２０１８．１．１０）
【訂正の要旨】
審決（決定）の【理由】欄参照。
（５７）【特許請求の範囲】
　【請求項１】
（削除）
　【請求項２】
（削除）
　【請求項３】
（削除）
　【請求項４】
　
貨幣処理装置であって、
　
投入された貨幣を１枚ずつ繰り出す繰り出し機構を備えた入金部と、
　
貨幣を識別する識別部と、
　
貨幣を払い出す出金口を有する出金部と、
　
一時的に貨幣を収納する一時保留部と、
　
前記入金部、前記識別部、前記出金部、及び前記一時保留部を連結し、貨幣を搬送する搬送部と、
　
前記入金部、前記識別部、前記出金部、前記一時保留部、及び前記搬送部の動作を制御する制御部と、
を備え、
　
前記搬送部は、
　
搬送されてきた貨幣を時計回り方向又は反時計回り方向に搬送するループ搬送路と、
　
前記ループ搬送路上を搬送されている貨幣を前記出金口に搬送する払出路と、
　
前記払出路に隣接した、前記一時保留部が連結される接続路と前記ループ搬送路との接続位置に設けられ、前記一時保留部から繰り出される貨幣の前記ループ搬送路上での搬洪方向を切り替える分岐機構と、
を有し、
　
前記識別部は、前記ループ搬送路に沿って搬送される貨幣を識別するように、前記ループ搬送路上に配設され、
　
前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納され、
　
前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され、
　前記制御部が返却処理の開始指示を受けることにより、前記一時保留部に収納した貨幣が
、前記識別部に搬送されることなく
　【請求項５】
　
貨幣処理装置であって、
　
投入された貨幣を１枚ずつ繰り出す繰り出し機構を備えた入金部と、
　
貨幣を識別する識別部と、
　
貨幣を払い出す出金口を有する出金部と、
　
一時的に貨幣を収納する一時保留部と、
　
前記入金部、前記識別部、前記出金部、及び前記一時保留部を連結し、貨幣を搬送する搬送部と、
　
前記入金部、前記識別部、前記出金部、前記一時保留部、及び前記搬送部の動作を制御する制御部と、
を備え、
　
前記搬送部は、
　
搬送されてきた貨幣を時計回り方向又は反時計回り方向に搬送するループ搬送路と、
　
前記ループ搬送路上を搬送されている貨幣を前記出金口に搬送する払出路と、
　
前記払出路に隣接した、前記一時保留部が連結される接続路と前記ループ搬送路との接続位置に設けられ、前記一時保留部から繰り出される貨幣の前記ループ搬送路上での搬送方向を切り替える分岐機構と、
を有し、
　
前記識別部は、前記ループ搬送路に沿って搬送される貨幣を識別するように、前記ループ搬送路上に配設され、
　
前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納され、
　
前記制御部が整理計数処理の開始指示を受けることにより、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出され、
　
前記制御部が返却処理の開始指示を受けることにより、前記一時保留部に収納した貨幣が、前記識別部に搬送されることなく前記出金口に払い出され、
　
同じ向きの貨幣のみが前記一時保留部に収納される